(57)【特許請求の範囲】
【請求項１】
マザーボード（４）に設けられたケージ（２）に挿入および抜出可能であり、光コネクタ（３）用の挿入口（１１ａ）を有するハウジング（１１）と、
前記ハウジングに挿入された前記光コネクタと前記マザーボードとの間で光信号と電気信号との変換を行う光電気変換部（１２）と、
前記ケージの係合プレート（６）に形成された係止穴（６ａ）に係止可能な係止突起（２８）を有するラッチ部材（２３）と、
前記係止穴に対する前記係止突起の係止を解除するレバー（２４）と、を備え、
前記ラッチ部材が、回動可能に構成され、
前記レバーは、前記ラッチ部材を押圧し回動させることによって、前記係止突起を変位させ前記係止穴に対する係止を解除可能であり、
前記レバーは、前記係止突起が係止穴に係止している状態で前記ラッチ部材に係合して前記ラッチ部材の回動を阻止可能な係合部（４４ａ）を有し、
前記係合部は、前記ラッチ部材を回動させるための前記レバーの動作の過程で、前記ラッチ部材に対する係合が外れるように形成されていることを特徴とする光トランシーバ（１）。
【請求項２】
前記ラッチ部材は、前記回動動作の支点となる軸部（２７）と、前記軸部から一方向に延在する本体部（３０）と、前記軸部から他方向に延在し、前記係止突起が形成された延出部（２９）とを備え、
前記レバーは、前記本体部を押圧することによって前記ラッチ部材を回動させて前記係止突起を変位させるように構成されていることを特徴とする請求項１に記載の光トランシーバ。
【請求項３】
前記レバーは、前記ゲージから前記ハウジングを抜出する方向への移動により前記ラッチ部材を押圧し回動させるように構成されていることを特徴とする請求項１または２に記載の光トランシーバ。
【請求項４】
マザーボード（４）に設けられたケージ（２）に挿入および抜出可能であり、光コネクタ（３）用の挿入口（１１ａ）を有するハウジング（１１）と、
前記ハウジングに挿入された前記光コネクタと前記マザーボードとの間で光信号と電気信号との変換を行う光電気変換部（１２）と、
前記ケージの係合プレート（６）に形成された係止穴（６ａ）に係止可能な係止突起（２８）を有するラッチ部材（２３）と、
前記係止穴に対する前記係止突起の係止を解除するレバー（２４）と、を備えた光トランシーバ（１）が前記ケージに係止する構造であって、
前記ラッチ部材が、回動可能に構成され、
前記レバーは、前記ラッチ部材を押圧し回動させることによって、前記係止突起を変位させ前記係止穴に対する係止を解除可能であり、
前記レバーは、前記係止突起が係止穴に係止している状態で前記ラッチ部材に係合して前記ラッチ部材の回動を阻止可能な係合部（４４ａ）を有し、
前記係合部は、前記ラッチ部材を回動させるための前記レバーの動作の過程で、前記ラッチ部材に対する係合が外れるように形成されていることを特徴とする光トランシーバの係止構造。
【発明の詳細な説明】
【技術分野】
【０００１】
本発明は、ＳＦＰタイプ（SFP：Small Form Factor Plaggable）の光トランシーバおよびその係止構造に関するものである。
【背景技術】
【０００２】
ＳＦＰタイプの光トランシーバは、ＭＳＡ（Multi-Source Agreement）の規格に基づいて設計されており、マザーボードに設けられたケージに挿入および抜出可能に構成されている（特許文献１、２を参照）。
図９〜図１１は、この種の光トランシーバの一例を示すもので、この光トランシーバ５０は、ケージ２に挿入および抜出可能なハウジング５１と、ハウジング５１内に設けられた光電気変換部（図示略）と、ハウジング５１に対するケージ２の係止を解除する係止解除機構５４とを備えている。
図９に示すように、ハウジング５１は、光コネクタ５３が挿入口５１ａから挿入されるように構成されている。
図１０に示すように、ハウジング５１の下面には、ケージ２の係合プレート６に形成された係止穴６ａに係止可能な係止突起５１ｂが形成されている。
図１０および図１１に示すように、係止解除機構５４は、係止突起５１ｂと係止穴６ａとの係止を解除する解除部材５２と、この解除部材５２を動作させるハンドル５５を備えている。
図１２に示すように、光トランシーバ５０では、解除部材５２を動作させることによって、係合プレート６をハウジング５１から離れる方向に押圧し変位させ、係止突起５１ｂと係止穴６ａとの係止を解除することができる。これによって、光トランシーバ５０はケージ２から抜き出し可能となる。
【特許文献１】特開２００４−３１１２０７号公報
【特許文献２】特開２００２−３５３４７１号公報
【発明の開示】
【発明が解決しようとする課題】
【０００３】
しかしながら、従来の光トランシーバ５０では、係止解除機構５４によって上記係止解除操作を行うにあたって、使用するケージ２によって操作感が異なり、スムーズな係止解除操作が難しくなる場合があった。
本発明は、上記事情に鑑みてなされたものであって、使用するケージの種類にかかわらず、スムーズな係止解除操作が可能となる光トランシーバおよびその係止構造の提供を目的とする。
【課題を解決するための手段】
【０００４】
本発明は、マザーボードに設けられたケージに挿入および抜出可能であり、光コネクタ用の挿入口を有するハウジングと、前記ハウジングに挿入された前記光コネクタと前記マザーボードとの間で光信号と電気信号との変換を行う光電気変換部と、前記ケージの係合プレートに形成された係止穴に係止可能な係止突起を有するラッチ部材と、前記係止穴に対する前記係止突起の係止を解除するレバーと、を備え、前記ラッチ部材が、回動可能に構成され、前記レバーは、前記ラッチ部材を押圧し回動させることによって、前記係止突起を変位させ前記係止穴に対する係止を解除可能であり、前記レバーは、前記係止突起が係止穴に係止している状態で前記ラッチ部材に係合して前記ラッチ部材の回動を阻止可能な係合部を有し、前記係合部は、前記ラッチ部材を回動させるための前記レバーの動作の過程で、前記ラッチ部材に対する係合が外れるように形成されている光トランシーバを提供する。
前記ラッチ部材は、前記回動動作の支点となる軸部と、前記軸部から一方向に延在する本体部と、前記軸部から他方向に延在し、前記係止突起が形成された延出部とを備え、前記レバーは、前記本体部を押圧することによって前記ラッチ部材を回動させて前記係止突起を変位させるように構成されていることを特徴とすることが好ましい。
前記レバーは、前記ゲージから前記ハウジングを抜出する方向への移動により前記ラッチ部材を押圧し回動させるように構成されていることが好ましい。
本発明は、マザーボードに設けられたケージに挿入および抜出可能であり、光コネクタ用の挿入口を有するハウジングと、前記ハウジングに挿入された前記光コネクタと前記マザーボードとの間で光信号と電気信号との変換を行う光電気変換部と、前記ケージの係合プレートに形成された係止穴に係止可能な係止突起を有するラッチ部材と、前記係止穴に対する前記係止突起の係止を解除するレバーと、を備えた光トランシーバが前記ケージに係止する構造であって、前記ラッチ部材が、回動可能に構成され、前記レバーは、前記ラッチ部材を押圧し回動させることによって、前記係止突起を変位させ前記係止穴に対する係止を解除可能であり、前記レバーは、前記係止突起が係止穴に係止している状態で前記ラッチ部材に係合して前記ラッチ部材の回動を阻止可能な係合部を有し、前記係合部は、前記ラッチ部材を回動させるための前記レバーの動作の過程で、前記ラッチ部材に対する係合が外れるように形成されている光トランシーバの係止構造を提供する。
【発明の効果】
【０００５】
本発明によれば、ラッチ部材を回動させることによって係止穴に対する係止突起の係止を解除可能であるので、ケージの係合プレートを変位させずに係止解除操作を行うことができる。
このため、係合プレートを変位させて係止解除を行うものに比べ、操作感が係合プレートの機械的特性によって異なることがなく、使用するケージの種類にかかわらず、スムーズな係止解除操作が可能となる。
また、ラッチ部材は回動によって前記係止解除が可能であるので、ラッチ部材の動作範囲を小さくできる。従って、光トランシーバの小型化を図ることができる。
【発明を実施するための最良の形態】
【０００６】
図１は、本発明に係る光トランシーバの一実施形態である光トランシーバ１の主要部を示す分解斜視図である。図２は、光トランシーバ１の主要部を示す斜視図である。図３は、光トランシーバ１に用いられるラッチ部材２３を示す側面図である。図４、図６および図８は、光トランシーバ１の断面図である。図５および図７は、光トランシーバ１の側面図である。
【０００７】
図１に示すように、光トランシーバ１は、ＭＳＡ（Multi-Source Agreement）の規格に定められるＳＦＰタイプ（Small Form-Factor Plaggable）の光トランシーバであり、収納ケースであるケージ２（図４および図９参照）に収納可能となっている。
光トランシーバ１の説明に先だって、図９および図１０を参照してケージ２および光コネクタプラグ３を説明する。
ケージ２は、前面側に開口２ａを有するスリーブ状に形成されている。ケージ２は、マザーボード４側の回路に電気的に接続された接続端子（図示略）を有し、マザーボード４上に設けられる。
【０００８】
ケージ２には、開口２ａ側に向かって延出する係合プレート６が形成されている。係合プレート６は、先端が光トランシーバ１に接近および離間する方向に移動可能となるように弾性的に曲げ変形できるようになっている。係合プレート６は例えば金属板からなる。
図９に示すように、図示例では、係合プレート６は、断面略矩形の筒状とされたケージ２を構成する４つの側板のうち１つである側板２ｂに形成され、この側板２ｂに対向する側板２ｃに接近および離間する方向に先端が移動するように弾性変形できる。
図１０に示すように、係合プレート６には、後述する光トランシーバ１の係止突起２８が係止する係止穴６ａが形成されている。係合プレート６の先端部分６ｂは、先端方向に行くに従って前記離間方向に傾斜している。
【０００９】
光トランシーバ１に挿入される光コネクタプラグ３としては、多心または単心の光コネクタを例示できる。
図４に示すように、光コネクタプラグ３は、ハウジング３１内にフェルール３２を備えている。
【００１０】
次に、光トランシーバ１を説明する。
以下の説明においては、図４に示すように、ハウジング１１の挿入口１１ａが形成された側を前方といい、その反対方向を後方ということがある。また、図１〜図５におけるＡ１方向を上方といい、Ａ２方向を下方ということがある。また、図１、図２におけるＢ１、Ｂ２方向を幅方向ということがある。
【００１１】
図１〜図５に示すように、光トランシーバ１は、ケージ２に挿入および抜出可能なハウジング１１と、ハウジング１１内に設けられた光電気変換部１２と、光電気変換部１２に接続された回路基板（図示略）と、係合プレート６の係止穴６ａに係止可能な係止突起２８を有するラッチ部材２３と、ラッチ部材２３を動作させて前記係止を解除するレバー２４と、ラッチ部材２３を押圧するカバー２５（押圧部材）を備えている。
【００１２】
ハウジング１１は、光コネクタプラグ３が挿入される挿入口１１ａを有する本体部１６と、本体部１６の後部から後方に延出する挿入部１７とを有する。
本体部１６は、断面矩形の筒状に形成されている。挿入部１７は、本体部１６より幅がやや狭い断面矩形の筒状に形成され、開口２ａからケージ２内に挿入可能となっている。
【００１３】
図４に示すように、光電気変換部１２は、光トランシーバ１に挿入された光コネクタプラグ３のフェルール３２が対面される接続部品２１と、光電気変換素子２２とを備えている。
光電気変換素子２２は、光信号を電気信号に変換する機能と、電気信号を光信号に変換する機能とのうち一方または両方を備えており、半導体レーザなどの発光素子、フォトダイオードなどの受光素子を例示できる。
光電気変換素子２２は、フェルール３２に内蔵されている光ファイバに、接続部品２１に内蔵された光ファイバを介して、光信号を送信または受信可能に接続される。
【００１４】
回路基板（図示略）は、挿入部１７をケージ２に挿入したときに、ケージ２の接続端子（図示略）に接続可能である。このため、回路基板および接続端子を介して、光電気変換素子２２をマザーボード４側の回路に電気的に接続できる（図４および図９を参照）。
【００１５】
図１および図３に示すように、ラッチ部材２３は、ブロック状の本体部３０と、本体部３０から後方に延出する略板状の延出部２９と、延出部２９に形成された軸部２７、２７と、延出部２９の後端部から下方に突出する係止突起２８とを備えている。
【００１６】
図１、図３および図４に示すように、本体部３０の後部には、開口部３０ａが形成されている。
本体部３０の上面側の幅方向中央には、前後方向に沿う溝状凹部３０ｂが形成されている。溝状凹部３０ｂは、本体部３０の前端から開口部３０ａにかけて形成され、その底部３０ｃの底面３０ｄの少なくとも一部は、図４に示す係止状態（後述）において、前方に行くに従って上昇するように傾斜している。
本体部３０の前端部の下面側には、係合凹部３０ｅ、３０ｅ（ラッチ側係合部）が形成されている。係合凹部３０ｅ、３０ｅは、それぞれ本体部３０の両側縁に形成されている。
【００１７】
図１〜図３に示すように、軸部２７は、ラッチ部材２３の回動動作の支点となるもので、延出部２９の前部の両側面に、外側方に延出して形成されている。軸部２７、２７は、ハウジング１１の本体部１６の側板部１９、１９に形成された軸受凹部１９ａ、１９ａに嵌合可能とされている。
軸部２７は延出部２９の前部に形成されているため、本体部３０は軸部２７より前方（一方向）に延在しており、延出部２９は略後方（他方向）に延在していることになる。
図３に示すように、ラッチ部材２３は、軸部２７を支点として回動可能となっており、これによって、係止突起２８が係合プレート６に対し接近および離間する方向に移動可能である。
【００１８】
図１および図２に示すように、カバー２５は、カバー本体３３と、カバー本体３３から斜め後方に延出する板状の押圧片３４とを備えている。カバー２５は金属板により形成するのが好ましい。
カバー本体３３は、底板部３５とその両側縁に立設された側板部３６、３６とを有する主部３７と、主部３７から後方に延出する延出部３８とを備えている。
カバー２５は、側板部３６に形成された係止穴３６ａに、ハウジング１１の側板部１９の外面に形成された係止突起１９ｂが係止することでハウジング１１に取り付けされる。
【００１９】
底板部３５下面には、平面視矩形の凹部３５ａが形成され、押圧片３４は、この凹部３５ａ内に形成されている。凹部３５ａを形成することによって、底板部３５の強度を高め、押圧片３４の押圧力を安定させることができる。
延出部３８は、底板部３９とその両側縁に立設された側板部４０、４０とを備えている。底板部３９には、ラッチ部材２３の係止突起２８が通過可能な開口部３９ａが形成されている。側板部４０には、ハウジング１１の挿入部１７の外側面に形成された係止突起１７ａに係止する係止穴４０ａが形成されている。
【００２０】
図４に示すように、押圧片３４は、弾性的に曲げ変形可能とされ、その弾性により、ラッチ部材２３の本体部３０をハウジング１１に近づける方向に付勢するように構成されている。
【００２１】
図１および図４に示すように、レバー２４は、ラッチ部材２３を回動させて係止穴６ａに対する係止突起２８の係止を解除するものであって、ブロック状のレバー本体４１と、レバー本体４１の上部から後方に延出する後方延出部４２とを有する。
レバー本体４１は、操作部４３と、操作部４３から後方に延びる挿入部４４とを有する。
挿入部４４は、ハウジング１１の両側板部１９、１９間に前後動可能に挿入できるように構成されており、その後端部の下部には、後方に突出する係合凸部４４ａ、４４ａ（レバー側係合部）が形成されている。係合凸部４４ａは、ラッチ部材２３の前端部に形成された係合凹部３０ｅに係合可能となっている。
【００２２】
後方延出部４２は、挿入部４４の上面から後方に延出しており、その先端下面には、下方に突出する押圧突起４５が形成されている。
押圧突起４５は、ラッチ部材２３を押圧し回動させるものであって、その前面４５ａは、前方に行くに従って上昇するように傾斜している。
【００２３】
次に、光トランシーバ１をケージ２に挿入する際の動作について説明する。
図４に示すように、光トランシーバ１を開口２ａからケージ２に挿入する。
ハウジング１１の挿入部１７がケージ２に挿入される過程で、係合プレート６の先端部分６ｂは係止突起２８によって下方に押圧され、係合プレート６は弾性的に曲げ変形する。
光トランシーバ１をさらに挿入方向に移動させ、係止突起２８が係止穴６ａに達すると、係合プレート６は弾性力によりハウジング１１に近づく方向に移動し、係止突起２８が係止穴６ａに嵌合する。これによって、光トランシーバ１は移動が規制され、脱落が防止される。この状態を係止状態という。
この状態では、光トランシーバ１の回路基板（図示略）がケージ２の接続端子（図示略）に接続されるため、光電気変換素子２２は、回路基板および接続端子を介して、マザーボード４側の回路に電気的に接続される。
【００２４】
光トランシーバ１に光コネクタプラグ３を挿入すると、フェルール３２の先端面が接続部品２１に対面し、フェルール３２に内蔵されている光ファイバ（図示略）は、接続部品２１を介して、光信号を送信または受信可能に光電気変換素子２２に接続される。
【００２５】
次に、光トランシーバ１をケージ２から抜き出す際の動作について説明する。
図４および図５に示す状態では、レバー２４の後方延出部４２は、ラッチ部材２３の本体部３０の溝状凹部３０ｂ内に位置し、押圧突起４５は底部３０ｃの後方に位置している（図４参照）。
レバー２４の後端に形成された係合凸部４４ａは、ラッチ部材２３の前端部に形成された係合凹部３０ｅに嵌合している（図５参照）。係合凸部４４ａと係合凹部３０ｅが係合することによって本体部３０は下方移動を規制されている。このため、ラッチ部材２３に力が加えられてもラッチ部材２３が回動することはない。
なお、図５〜図８では、ケージ２の図示を省略した。図５および図７では、カバー２５の図示を省略した。
【００２６】
図６および図７に示すように、レバー２４を前方（光トランシーバ１の抜出方向）に引き出すと、係合凸部４４ａも前方移動し、係合凸部４４ａの係合凹部３０ｅに対する係合が外れ、本体部３０が下方移動可能な状態となる（図７参照）。
レバー２４の移動に伴い、押圧突起４５も前方に移動し、ラッチ部材２３の底部３０ｃの底面３０ｄに当接する（図６参照）。
【００２７】
図８に示すように、レバー２４をさらに前方に移動させると、押圧突起４５は底部３０ｃを前方に押圧する。底部３０ｃの底面３０ｄは傾斜面であるため、本体部３０には斜め下方への力が働き、ラッチ部材２３は押圧片３４の弾性力に抗して軸部２７を支点として反時計回り方向に回動する。
これによって、ラッチ部材２３の後端にある係止突起２８は上方に変位し、係合プレート６の係止穴６ａから外れる。この際、係合プレート６はカバー２５の延出部３８に当接して上昇を規制される。
係止突起２８が係合プレート６から外れるため、光トランシーバ１はケージ２から抜き出し可能となる。
【００２８】
光トランシーバ１は、ラッチ部材２３を回動させることによって係止穴６ａに対する係止突起２８の係止を解除可能であるので、係合プレート６を変位させずに、係止解除操作を行うことができる。
このため、係合プレート６を変位させて係止解除を行うものに比べ、操作感が係合プレート６の機械的特性によって異なることがなく、使用するケージ２の種類にかかわらず、スムーズな係止解除操作が可能となる。
また、ラッチ部材２３は回動によって前記係止解除が可能であるので、ラッチ部材２３の動作範囲を小さくできる。従って、光トランシーバ１の小型化を図ることができる。
【００２９】
さらに、光トランシーバ１では、レバー２４の抜出方向の移動によりラッチ部材２３を回動させることができるので、光トランシーバ１をケージ２から抜き出す操作は、光トランシーバ１の前方範囲において行うことができる。
このため、ケージ２を複数並べて用いる場合に、各ケージ２の周囲に大きなスペースを確保する必要はなく、高密度実装が可能となる。
【００３０】
また、ラッチ部材２３は、軸部２７と、軸部２７から前方に延在する本体部３０と、軸部２７から後方に延在する延出部２９とを備えた構成としたので、高さ方向の動作範囲を小さくできる。よって、光トランシーバ１のさらなる小型化を図ることができる。
【００３１】
レバー２４は、ラッチ部材２３が係止状態にあるときにラッチ部材２３の係合凹部３０ｅに係合する係合凸部４４ａを有するので、係止状態においてラッチ部材２３に力が加えられても、ラッチ部材２３が回動することはない。よって、誤ってラッチ部材２３の係止が解除されるのを防ぐことができる。
また、係合凸部４４ａは、レバー２４の抜出方向への移動の過程で係合凹部３０ｅから外れるため、この係合を外すための別の操作は必要なく、操作の容易性が損なわれることはない。
【００３２】
なお、図示例では、軸部２７から前方に延在する本体部３０と、軸部２７から後方に延在する延出部２９を備えたラッチ部材２３を用い、本体部３０を押し下げることで延出部２９を上昇させて係止突起２８を上昇させたが、本発明におけるラッチ部材は、回動により係止解除が可能であればよく、構成はこれに限定されない。
例えば、前部に軸部を有するラッチ部材を使用し、レバーによってラッチ部材の後部を押し上げることで係止突起が上昇して係止が解除される構成も採用できる。
また、図示例では、係止状態においてラッチ部材２３の係合凹部３０ｅとレバー２４の係合凸部４４ａが係合する構成としたが、本発明における係合構造はこれに限定されない。
例えば、ラッチ部材に形成された係合凸部と、レバーに形成された係合凹部が係止状態において係合する構成を採用してもよい。
また、係止状態においてレバーがラッチ部材に係止してラッチ部材の回動を阻止でき、かつレバーの抜出方向への移動の過程でこの係止が外れる構成であれば、係合凹部および係合凸部に相当する構成はなくてもよい。
【図面の簡単な説明】
【００３３】
【図１】本発明に係る光トランシーバの一実施形態の主要部を示す分解斜視図である。
【図２】図１に示す光トランシーバの主要部を示す斜視図である。
【図３】図１に示す光トランシーバに用いられるラッチ部材を示す側面図である。
【図４】図１に示す光トランシーバの断面図である。
【図５】図１に示す光トランシーバの側面図である。
【図６】図１に示す光トランシーバの断面図である。
【図７】図１に示す光トランシーバの側面図である。
【図８】図１に示す光トランシーバの断面図である。
【図９】従来の光トランシーバの一例を示す斜視図である。
【図１０】図９に示す光トランシーバを示す斜視図である。
【図１１】図９に示す光トランシーバの要部を示す側面図である。
【図１２】図９に示す光トランシーバの要部を示す側面図である。
【符号の説明】
【００３４】
１・・・光トランシーバ、２・・・ケージ、３・・・光コネクタプラグ（光コネクタ）、４・・・マザーボード、６・・・係合プレート、６ａ・・・係止穴、１１・・・ハウジング、１１ａ・・・挿入口、１２・・・光電気変換部、１１ａ・・・挿入口、２３・・・ラッチ部材、２４・・・レバー、２７・・・軸部、２８・・・係止突起、２９・・・延出部、３０・・・本体部、４４ａ・・・係合凸部（係合部）。
【図１】
0004990810.tif 000002
【図２】
0004990810.tif 000003
【図３】
0004990810.tif 000004
【図４】
0004990810.tif 000005
【図５】
0004990810.tif 000006
【図６】
0004990810.tif 000007
【図７】
0004990810.tif 000008
【図８】
0004990810.tif 000009
【図９】
0004990810.tif 000010
【図１０】
0004990810.tif 000011
【図１１】
0004990810.tif 000012
【図１２】
0004990810.tif 000013